(57)【要約】【課題】解決しようとする問題点は、背面板が壁状になっている景品取得遊戯装置を室内中央部に複数台設置するにあたり、複数の回転する陳列棚がそれぞれ回転制御できる景品陳列台を得ることにある。【解決手段】  景品展示室4の背面を取り外した景品取得遊戯装置１の景品展示室の背面に位置する、基台の中央部に立設された入れ子式になった同一の回転中心を有する複数の回転軸13のそれぞれの下端側を回転自在に軸支し、各軸を駆動手段Ｍにより回転制御し、外側の回転軸13aに下側の回転板12aを軸着し、該回転軸の内側の回転軸13bは該回転板12aを貫通して該回転板の上方にて回転板を軸着する関係になった回転板12a、12b、12cを有し、上下複数段の回転板を前記景品取得遊戯装置の前面から操作者Hが立った位置からみて景品展示室の背面を取り外して見える視野内V1、V2に位置させ、前記複数の回転板は透過性の硬質樹脂製であり、前記下側の回転板の下方にはライトＬを該回転板に向けて前記基台に設けた回転式景品陳列台。【選択図】図４
2009082509.tif 000002
【特許請求の範囲】
【請求項１】
景品展示室の背面を取り外した景品取得遊戯装置の景品展示室の背面に位置する、基台の中央部に立設された入れ子式になった同一の回転中心を有する複数の回転軸のそれぞれの下端側を回転自在に軸支し、各軸を駆動手段により回転制御し、外側の回転軸に下側の回転板を軸着し、該回転軸の内側の回転軸は該回転板を貫通して該回転板の上方にて回転板を軸着する関係になった回転板を有し、上下複数段の回転板を前記景品取得遊戯装置の前面から操作者が立った位置からみて景品展示室の背面を取り外して見える視野内に位置させ、前記複数の回転板は透過性の硬質樹脂製であり、前記下側の回転板の下方にはライトを該回転板に向けて前記基台に設けた、ことを特徴とする回転式景品陳列台。
【請求項２】
景品展示室の背面を取り外した景品取得遊戯装置の景品展示室の背面に位置する、基台の中央部に立設された入れ子式になった同一の回転中心を有する複数の回転軸のそれぞれの下端側を回転自在に軸支し、各軸を各々独立した駆動手段により回転制御し、外側の回転軸に下側の回転板を軸着し、該回転軸の内側の回転軸は該回転板を貫通して該回転板の上方にて回転板を軸着する関係になった複数の回転板を有し、最上段の回転板には回転中心からずれた位置に錘を内在する鐘を設けた上下複数段の回転板を前記景品取得遊戯装置の前面から操作者が立った位置からみて景品展示室の背面を取り外して見える視野内に位置させ、前記複数の回転板は透過性の硬質樹脂製であり、前記下側の回転板の下方にはライトを該回転板に向けて前記基台に設けた、ことを特徴とする回転式景品陳列台。
【請求項３】
景品展示室の背面を取り外した景品取得遊戯装置の景品展示室の背面に位置する、基台の中央部に立設された入れ子式になった同一の回転中心を有する複数の回転軸のそれぞれの下端側を回転自在に軸支し、各軸を各々独立した駆動手段により回転制御し、外側の回転軸に下側の回転板を軸着し、該回転軸の内側の回転軸は該回転板を貫通して該回転板の上方にて回転板を軸着する関係になった複数の回転板を有し、上段の回転板の下面には同一半径に複数の鐘を吊り下げ、直下の下段の回転板が上段の回転板と異なる所定方向に回転した際に上段の回転軸に固着した回転板に接して回転体が回転しマレット体を起立して前記鐘を叩く起伏構造を有する鐘叩き機構を直下の回転板に固定して設け、上下複数段の回転板を前記景品取得遊戯装置の前面から操作者が立った位置からみて景品展示室の背面を取り外して見える視野内に位置させ、前記複数の回転板は透過性の硬質樹脂製であり、前記下側の回転板の下方にはライトを該回転板に向けて前記基台に設けた、ことを特徴とする回転式景品陳列台。
【請求項４】
請求項１乃至３のいずれか１つにおいて、回転板は蛍光剤を有する蛍光アクリル板であることを特徴とする回転式景品陳列台。
【請求項５】
請求項１乃至３のいずれか１つにおいて、回転板は集光アクリル板であり、ライトはブラックライトであることを特徴とする回転式景品陳列台。
【請求項６】
請求項１乃至３のいずれか１つの景品陳列台は、景品取得遊戯装置において、景品が取得されたことを検出して、ライトの点灯を制御することを特徴とする回転式景品陳列台。
【発明の詳細な説明】
【技術分野】
【０００１】
本発明は、景品取得遊戯装置に併設して設けられる回転台を備えた各種景品を陳列する回転式景品陳列台を用いて景品を取得時に演出を行なう演出装置に関するものである。
【背景技術】
【０００２】
本願出願人は、景品展示室の背面を取り外した景品取得遊戯装置の景品展示室の背面に位置する、基台の中央部に立設された支軸の下端に駆動手段に連係されて回転される回転板を、支軸を中心として回転しうるように軸支するとともに、回転板に支軸を囲むように立設された回転支持部を設けるとともに、上下複数段の棚板を前記景品取得装置の前面から操作者が立った位置からみて景品展示室の背面を取り外して見える視野内に位置させた回転式展示台を提案している（例えば特許文献１参照。）。
これは、棚板が複数あるにも関わらす、回転方向が常に一定あるいは逆方向に動いていても常に同一の回転しか得られず、何度も見ている遊戯者には飽きてしまうのであった。また、ライトアップもしているのだが、回転台を細いリング状にライトアップしているだけでは地味で、景品を沢山並べると、せっかくのライトアップが見えなくなってしまうのであった。
【０００３】
本願出願人は、さらに設置場所を室内の中央部にも設置できる遊戯装置として、筐体が平面形状が略６角形で、その何れの辺に面しても操作が可能に操作部を設けて、遊戯者がどの辺に面しても景品取得遊戯ゲームができようにし、景品取得特に成功するとサウンドをスピーカから鳴らすとともに鐘を機械的に鳴らすものを提案している（例えば特許文献２参照）。
この遊戯装置は、略６角形であるので、室内の壁面ではなく中央部に設置可能であり、略６角形の中央の奥行隅部には遊戯とは関係がない歯車の装飾体があり、略６角形の各辺毎に操作部が設けられており、最大６人までが同時に遊戯を楽しむことができるが、６人用の大型筐体となってしまい、前出の遊戯装置に比して搬入、搬出が大変であった。また、景品取得時に鐘を機械的に鳴らすのであるが、鐘が筐体の外側についており、遊戯者には景品取得時に鳴るのがいまひとつ分かりにくいのであった。
【０００４】
【特許文献１】特開２００５−２３０５０７号公報
【特許文献２】特開平１１-３１９３０６号公報
【発明の開示】
【発明が解決しようとする課題】
【０００５】
本発明は上記課題に鑑み、遊戯者に見やすく、さらに何度見ても飽きが来ない動きをする景品展示台を提供することにある。さらにはライトアップ効果に優れ景品取得時に動きやライトアップにリアクションがある景品陳列台を得ることにある。
【課題を解決するための手段】
【０００６】
本発明は、上記課題を解決するために、景品展示室の背面を取り外した景品取得遊戯装置の景品展示室の背面に位置する、基台の中央部に立設された入れ子式になった同一の回転中心を有する複数の回転軸のそれぞれの下端側を回転自在に軸支し、各軸を駆動手段により回転制御し、外側の回転軸に下側の回転板を軸着し、該回転軸の内側の回転軸は該回転板を貫通して該回転板の上方にて回転板を軸着する関係になった回転板を有し、上下複数段の回転板を前記景品取得遊戯装置の前面から操作者が立った位置からみて景品展示室の背面を取り外して見える視野内に位置させ、前記複数の回転板は透過性の硬質樹脂製であり、前記下側の回転板の下方にはライトを該回転板に向けて前記基台に設けた回転式景品陳列台としてある。
これにより、景品取得遊戯装置の前面に立った遊戯者は、景品取得遊戯装置の景品展示室の背面が取り外されているので、回転式景品陳列棚の上下複数段の回転板の回転動作を見ることができ、さらに回転板の下方に設けたライトにより、透過性の硬質樹脂製の回転板が照明され、ライトアップされる。
【０００７】
さらに本発明では上記課題を解決するために、景品展示室の背面を取り外した景品取得遊戯装置の景品展示室の背面に位置する、基台の中央部に立設された入れ子式になった同一の回転中心を有する複数の回転軸のそれぞれの下端側を回転自在に軸支し、各軸を各々独立した駆動手段により回転制御し、外側の回転軸に下側の回転板を軸着し、該回転軸の内側の回転軸は該回転板を貫通して該回転板の上方にて回転板を軸着する関係になった複数の回転板を有し、最上段の回転板には回転中心からずれた位置に錘を内在する鐘を設けた上下複数段の回転板を前記景品取得遊戯装置の前面から操作者が立った位置からみて景品展示室の背面を取り外して見える視野内に位置させ、前記複数の回転板は透過性の硬質樹脂製であり、前記下側の回転板の下方にはライトを該回転板に向けて前記基台に設けた回転式景品陳列台。
これにより、景品取得遊戯装置の前面に立った遊戯者は、景品取得遊戯装置の景品展示室の背面が取り外されているので、回転式景品陳列棚の上下複数段の回転板の回転動作を見ることができ、さらに回転動作それぞれ独立した動作をすることができ、最上段の回転板には鐘が設けてあるので、最上段の回転板の回転動作によって鐘を鳴らすことができ、さらに回転板の下方に設けたライトにより、透過性の硬質樹脂製の回転板が照明され、ライトアップされる。
【０００８】
さらに本発明では上記課題を解決するために、景品展示室の背面を取り外した景品取得遊戯装置の景品展示室の背面に位置する、基台の中央部に立設された入れ子式になった同一の回転中心を有する複数の回転軸のそれぞれの下端側を回転自在に軸支し、各軸を各々独立した駆動手段により回転制御し、外側の回転軸に下側の回転板を軸着し、該回転軸の内側の回転軸は該回転板を貫通して該回転板の上方にて回転板を軸着する関係になった複数の回転板を有し、上段の回転板の下面には同一半径に複数の鐘を吊り下げ、直下の下段の回転板が上段の回転板と異なる所定方向に回転した際に上段の回転軸に固着した回転板に接して回転体が回転しマレット体を起立して前記鐘を叩く起伏構造を有する鐘叩き機構を直下の回転板に固定して設け、上下複数段の回転板を前記景品取得遊戯装置の前面から操作者が立った位置からみて景品展示室の背面を取り外して見える視野内に位置させ、前記複数の回転板は透過性の硬質樹脂製であり、前記下側の回転板の下方にはライトを該回転板に向けて前記基台に設けた、回転式景品陳列台とした。
これにより、景品取得遊戯装置の前面に立った遊戯者は、景品取得遊戯装置の景品展示室の背面が取り外されているので、回転式景品陳列棚の上下複数段の回転板の回転動作を見ることができ、さらに回転動作それぞれ独立した動作をすることができ、上段の回転板には複数の鐘が同一円周状に設けてあり、その直下の回転板と上段の回転軸との間にマレット体の起伏機構を設けてあり、上段とその直下の回転板の回転方向によりマレット体が起立して鐘を打ち、鐘を鳴らすことができ、さらに回転板の下方に設けたライトにより、透過性の硬質樹脂製の回転板が照明され、ライトアップされる。
【０００９】
さらに本発明では、上記課題を解決するために上記発明のいずれか１つにおいて、回転板は蛍光剤を有する蛍光アクリル板とした回転式景品陳列台とした。または上記発明のいずれか１つにおいて、回転板を集光アクリル板として、ライトはブラックライトとした回転式景品陳列台とした。
これらにより、本景品取得遊戯装置の前面に立った遊戯者は、アクリル板がライトアップされると共にアクリル板の円周端面が発光して見えるのである。特に照明が暗い室内ではブラックライトで照明することにより、回転板自体、及び回転板の端面が発光が際立つのである。
【００１０】
さらに本発明では上記課題を解決するために、上述のいずれか１つの景品陳列台は、景品取得遊戯装置において、景品が取得されたことを検出して、ライトの点灯を制御する回転式景品陳列台とした。
これにより、景品取得遊戯装置において、景品が取得された際に景品陳列台の回転板の回転動作を制御することで、遊戯者はライトアップが変化したことが判るのである。
【発明の効果】
【００１１】
本発明の景品陳列台を景品取得遊戯装置の景品展示室の背板を外して、設置することにより、複数ある回転板の回転動作が制御できるので、遊戯者に見やすく、さらに何度見ても飽きが来ない動きをする景品展示台を提供することができるのである。また回転板を透過性の硬質樹脂製として、回転板の下方に配したライトで照明することで複数の回転板をライトアップできるのである。
【発明を実施するための最良の形態】
【００１２】
以下、本発明に係る回転式景品陳列台の実施形態を図面に示した実施例を参照して詳細に説明する。
【実施例１】
【００１３】
図１は、景品陳列台を囲んで景品取得遊戯装置を配置した斜視図であり、図２は景品陳列台を囲んで景品取得遊戯装置4台を配置した平面概略図である。
景品取得遊戯装置１は、ゲーム空間となる景品展示室４の背板部を取り外し、景品陳列台10を囲んで景品取得遊戯装置1を奥行の隅１ａを合わせて各4台を直角に配置し、各景品取得遊戯装置間のコーナには平面が４分の１の扇状で高さが景品取得装置と同じなコーナ部２を配置し、景品取得遊戯装置が４台で一体として見えるようにしてある。
景品取得遊戯装置１には、景品Ｐを把持するための把持部３が景品展示室４に設けてあり、遊戯者が景品展示室４の床面高さに位置する操作部５を操作して景品把持部３を景品展示室４の天井部６にある図示しない把持つめ駆動装置を駆動して移動させ景品展示室内4に配された景品Ｐを把持して景品Ｐを景品取得口７に導き取出すようになっている。
景品取得遊戯装置の景品展示室4の背面の背板部は取り外されており、正面から見ると景品展示室４を透過して景品陳列台１０を見ることができる。
景品陳列台１０は一辺が景品取得遊戯装置１の横幅の長さの方形であり、平面形状が方形の基台１１の中央に回転する陳列棚１２を配してある。
【００１４】
図３は景品陳列台を囲んで景品取得遊戯装置２台を対峙させて配置した斜視図を示している。景品取得遊戯装置１は、いずれも横幅が同一である同一機種を用いており、景品陳列台10を挟んで対峙して配置され、何れの景品取得装置１も景品展示室4の背板部を取り外してあるので、操作部５側から景品展示室4を透過して景品陳列台１０の陳列棚１２を観察することができる。景品展示室４の景品把持部３を見ると必然的にその背景として景品陳列台１０の陳列棚１２が位置する。
【００１５】
図４は景品陳列台を景品取得遊戯装置の背面に配置した内部側面を示し、陳列棚の駆動方法を示す概略図を示している。景品陳列台１０は方形台の上にアクリル板などの透明あるいは有色透過性の硬質樹脂板であるクリスマスケーキ状の同心円状に三段になった陳列棚12a、12b、12cを有しており、陳列棚１２は緩やかに水平に回転している。それぞれの陳列棚はそれぞれに対応するモータＭａ、Ｍｂ、Ｍｃを制御して回転や静止をすることができる。
陳列棚１２は同心円状に径の異なる円板が三段になっており、基台１１の中段に水平に配された中板１１ａの中央部に立設された回転軸13aに同心円状の三段の陳列棚１２の下棚１２ａが軸受16aを介して回動自在に取りつけられている。
【００１６】
三段の陳列棚１２はそれぞれ大径の円盤の下棚12ａ、中径の円盤の中棚12b、小径の円盤の棚12cがそれぞれ同心ではあるが、各軸が入れ子になった各々の回転軸を有しており、各棚はそれぞれの回転軸13a、13b、13cに棚受14a、14b、14cで固定されており、各回転軸は基台１１の下方でギア15a、15b、15cを軸着し、各軸の下端は軸受16a、16b、16cで回動自在に軸支されている。駆動モータＭａ、Ｍｂ、Ｍｃの駆動軸に設けたウオームギア17a、17b、17cは噛合するギア15a、15b、15cを回転させることで、下棚12a、中棚12b、上棚12cを別々に回転することができる。例えば下棚12aと上棚12cが同一向きに回転し、中棚12bは逆向きに回転する。さらに回転速度は同一でも違えてもよい。
下棚12ａは太い円筒回転軸13aに軸受15aにより回転自在に取り付けられ、中板11aに軸受16ａにより上下方向の高さを維持されている。尚、中板11aには下棚の下面を支えるキャスタローラ17がブラケット17aを介して複数取りつけられており、下棚12aの回転を補助的に支えている。中板11aの下方には太い円筒回転軸13aに軸着されたギア15aがモータＭａの回転軸に取り付けたウオームギア18aにより回転により回転する。
また中棚12bには円筒回転軸13aの円筒内を貫通する円筒の回転軸13bが棚受13bを介して取りつけられている。  該回転軸13bは基台１１から固定された水平なブラケット１８に軸受16bを介して回転自在に取りつけられ、中棚13bの上下方向の高さを維持している。回転軸13bはブラケット１８の下方でギア15bに軸着されており、ギア15bはモータＭｂの回転軸のウオームギア18bの回転に伴い回転する。
同様に上棚12cには円筒回転軸13bの円筒内を貫通する回転軸13cに棚受14cを介して取り付けられており、該回転軸13cは基台１１の底部に軸受16cに回転自在に取りつけられるとともに、上下方向の高さを維持されている。同様に回転軸13cの軸着したギア15cはモータＭｃの回転軸のウオームギア18cの回転により回転する。
【００１７】
上棚12cの中央には円筒13dが取り付けられており、円筒の上端では腕木20が左右に伸びており腕木20の両側には鐘21が下向きに設けてある。駆動モータMcが左右に小刻みに回動することで、円筒13dが左右に小刻みに回動することで、鐘21の中にある錘が振られて鐘の内側に当たり、音を出して鳴り出す。この音はちょうど、福引の当たりの際に振られる鐘の音を模している。
【００１８】
図５には音階を有する鐘を設けた棚棚の一部を裁断した側面の断面図を示す。
上棚12cの円周近傍の下面にはお祝い用にそれぞれ音階を有する複数の鐘22が吊り下げてある。この数は、祝福を表現する音階からなる複数の鐘22であり、マレット23で叩くことにより鳴り、上棚12cの円周をほぼ一周する間隔に取り付けてある。それぞれの音符にあわせて間隔は適宜取られている。
中棚12ｂの上面に接するように上棚12cの回転軸に軸着された円盤体24には、鐘を叩くマレット23が円周方向に立倒自在に取り付けてある。マレット23は柄の後ろ端に付勢する図示しない付勢手段を有するクラッチ機構が回動軸24aに設けており、回動軸24aには中棚12bの上面に接するローラ24bが取りつけてある。
【００１９】
祝福音階を鳴らさない状態、つまり、誰もが景品を取得していない状態では、中棚12bと上棚12ｃは同一回転方向に回転している。この状態ではローラ24bは回転せず、付勢手段によりマレット23は横に寝た状態にある。または、中棚12bが時計周り、上棚12cが反時計周りに回転している。この状態では、ローラ24bはマレット23の柄を寝かす方向に回転しマレット23は横に寝た状態となっている。
次に中床12bが反時計周り、上棚12cが時計周りに回転すると、中棚12ｂの上面に摺接するローラ24ｂはマレット23を立てる方向に回転するためマレット23は立設され、立設された後はクラッチ機構の働きにより、ローラ24ｂは回転しながらそれ以上はクラッチ機構により滑り、マレット24ｂは立設したまま鐘22に当たり鐘22を鳴らす。鐘22はマレット23に当たると揺れて鐘22を鳴らす。そして上棚12ｃに吊り下げられた鐘22とマレット23の相対位置が変わることで次々にマレット23は次々に鐘22を鳴らすのである。この鐘22のなる様は遊戯者に見えるので、機械的に鐘22が鳴っているのが判る。中棚12bと上棚12aの回転方向がそれぞれ逆になる、あるいは同一方向の回転に切り替わると、ローラ24ｂの回転は逆回転あるいは停止し、マレット23は付勢手段の付勢により柄を寝かせるのでマレット23は横になり、鐘22を叩かなくなる。
【００２０】
さらに中床11aにはライトＬａ、Ｌｂ、Ｌｃ、Ｌｄが同心円状位置に回転棚を裏側から広範囲に照らす位置に取り付けてあり、少なくとも中棚１２ｂの裏側を四方から照らす。このライトＬａ、Ｌｂ、Ｌｃ、Ｌｄの光はLED等の照明で、点灯が制御される。
下棚12a、中棚12b、上棚12cは、端面発光する硬質樹脂であり、有色で透過性の蛍光剤が入った蛍光ピンク、蛍光オレンジ、蛍光グリーン等の蛍光アクリル製とすることで、ライトＬａ、Ｌｂ、Ｌｃ、Ｌｄにより下棚12aの裏側から光が入射し、下棚の内部で反射してその一部は円周端に達する。下棚12aの円周端は端面が若干斜めになっており、操作者の視点から見た場合に視線が端面に垂直に入るようになっている。これにより、下棚12aの下面に入射したライト光の一部は下棚12aの上面で反射して下面に戻りその一部は反射する。このように下棚１２ａに入射し、下棚の内部で反射した光は減衰しながらも円周端面に達し、端面から外側に出てくる光は、操作者Ｈの視線に入ってくる。この場合に操作者の目に入ってくる光は端面が操作者の視線と垂直になっている方が多く、操作者Ｈから見た場合に下棚の円周端面１２ａ１が光っているように観察される。
【００２１】
また操作者Ｈの反対側に位置するライトＬａ、Ｌｂ、Ｌｃ、Ｌｄから広がるように発した光が下棚１２ａの裏面から下棚に入射し、一度あるいは内部反射を繰り返して下棚12aの表面から出てくると、その一部は操作者Ｈの目に入ってくるので、操作者Ｈには下棚12aが明るくなっているのが視認される。
下棚12aの表面から出た光の一部は中棚12bの下面から中棚の内部に入射し、下棚同様に内部で反射しながら一部は円周端面12b1に達し、円周端面12b1から外部に出てくる。この中棚12bの円周端面12b1は垂直になっており、中棚12bの高さ位置は大人の標準的な視点の高さ程度（１．５m乃至１．６ｍ程度）に設定してあるので、端面から出た光は操作者Ｈの視線に入りやすく、操作者から観た場合は中棚の円周端面12b1が明るくなっているのが視認できる。
同様に上棚12cの円周端面12c1はやや下方に斜めになっている。円周端面12c1から直角に出た光は操作者の視点に入りやすくなっており、ライトＬからの光が下棚12a、中棚12bを透過して上棚12cに入射した光が上棚12cの内部で反射して円周端面12a1から出て来て操作者Hの視点に入ることで、上棚12cの円周端面が明るくなっているのが視認できる。
【００２２】
操作者Ｈは景品取得遊戯装置1の手前に立ち景品展示室４内に配された景品Ｐや、景品陳列台の陳列棚１２に陳列された景品を見ることができる。標準的な身長を有する操作者Ｈは景品把持部３を移動駆動する把持つめ駆動装置が天井部６に収納されているから、この天井部６の天井面奥が上方への視界の限界であり、操作者Ｈはこの天井面奥から下方の視界が見ることができる。景品展示室４の背中部を取り外した際の景品取得遊戯装置の背板外方の視界の限界線を一点鎖線で示している。視界上方限界線をＶ１、視界下方限界線をＶ２で示す。
【００２３】
景品陳列台の陳列棚１２に景品Pを展示した状態で、最上段の景品Ｐｈは、標準的な身長を有する操作者Ｈにとって、難なく観察ができる位置に陳列台１２ｃの高を取ってある。こうすることにより、操作者Ｈはしゃがむことなく景品陳列棚に陳列された全景品を観察することが可能となっている。
さらに陳列棚１２は緩やかに回転しており、陳列棚１２が一回転することにより、陳列棚に陳列してある全景品を観察することができる。
【００２４】
操作者Ｈはいろいろな景品を観察でき、景品展示室４内に所望する景品Ｐがあれば、操作部５を操作して景品把持部３を水平に移動させた後、景品把持部３を下降させて景品Ｐを把持させる動さをさせて、うまく景品Ｐが把持できたならば、景品取得口７へ導き、入手するのである。
【００２５】
上記回転板の円周端面は、操作者の視点に入りやすいように、標準的な大人の視点高さ（１．５ｍ乃至１．６ｍ）にあわせ、視線に対し直角になる端面としているが、子供から長身の大人まで対応するべく、回転板の円周端面をたとえば、１２分割し、子供から長身の大人の視線に対し直角になるように円周端面を加工することにより、子供から大人まで幅広く、回転板の円周の回転に伴い、円周端面が光輝いて見える。自分の視線の高さから観て円周端面が直角になっている円周端面が一番輝いてみえるようにすることでもよい。このほうが、回転円周端面の輝きが変化するので、より刺激的に目にいりやすい。  もちろん、各回転板の円周端面は遊戯者の視点とは無関係に通常加工通り、表面に直角に加工することでもよい。この場合でも端面は上述した遊戯者の視線に合わせ加工した場合よりは輝きは少ないが、ライトにより発光して見える。
【００２６】
さらに、上記説明では回転板の材質を蛍光アクリルとしたが、端面発光するものなら回転板の材質を集光ピンク、集光オレンジ、集光グリーン、集光レッド、集光バイオレットなどの集光アクリル製とし、ライトＬａ、Ｌｂ、Ｌｃ、Ｌｄをブラックライトとすることで、照明が暗い部屋に本景品取得遊戯装置を設置した場合には、ブラックライトの光が回転板全体を照明するとともに、円周端面を発光させムードあふれる演出が楽しめる。明るい部屋では、回転板は鮮やかな蛍光カラーとなる。
【００２７】
図６は景品取得遊戯装置と景品陳列台の駆動系のブロック図である。
各景品取得遊戯装置１には、コインスイッチ５ａ、景品を取得する把持部３を操作する操作スイッチ５ｂ、５ｃがあり、操作者は遊戯代金を景品取得遊戯装置１に投入するとコインスイッチ５ａが検出し、操作スイッチ５ｂ、５ｃが動作可能となる。
操作者は景品取得遊戯装置１の景品を取得すべく操作スイッチ５ｂを押している間、景品把持部３が景品展示室４内を横に移動する。景品把持部３の横移動を終えた後、操作者が操作スイッチ５ｃを押している間、景品把持部３は奥行き方向に移動し、操作スイッチ５ｃを離した段階で、景品把持部３が奥行き方向の移動を停止し、その場で景品把持部３を降下させて景品Pの取得動作を行ない、景品落下口７まで移動して景品Pの落下動作を行なう。景品落下口7には景品が落下したことを検出する景品取得センサー７ａが設けてある。この景品取得センサ７ａは例えば受発センサを景品落下口７を横断する両側に配し、発光センサからの光を受光センサで受けるようにしておき、通常は受光センサが発光センサの光を受けているが、景品Ｐが落下することでこの光を遮ることを検出して景品Ｐの落下を検出している。
【００２８】
景品陳列台１０は、通常時、つまりどの景品取得遊戯装置においても景品を取得していない場合では、陳列台制御回路30は通常モードとして、陳列棚１２の回転動作として中棚12bのみが下棚12a、上棚12cとは逆方向に回転している。ここではマレット23がないとして説明する。
景品把持部３にて景品Ｐの取得動作を行なったことにより景品Ｐが取得でき、景品落下口7まで移動して景品Ｐを景品落下口7に落下させることができた場合は、景品落下口７に設けてある景品取得センサ７ａが景品Ｐが落下したのを検出し、スピーカーＳから祝福サウンドを出力するとともに、景品陳列台１０の制御回路30に景品取得信号S1を送る。制御回路30では景品取得信号Ｓ１を受けると景品取得した際の祝福モードでの動作を動作モード記憶部から選択して読み出してモータドライバー3１に動作信号Ｍ１を送る。
モータドライバー31では制御回路30からの動作信号Ｍ１により、各モータＭａ、Ｍｂ、Ｍｃの回転駆動を行なう。景品が取れた場合の動きとして、下棚12a、中棚12b、上棚12cの回転動作を、今までの回転とは所定時間逆にする。あるいは全て同じ方向に回転させることでもよい。
ここで、上棚12cを小刻みに時計方向、反時計方向に回動させることで鐘21が振られ、鐘21の内部の錘が鐘の内側に当たり、鐘21が鳴るのである。これにより、他の遊戯者に対し、景品が取得した遊戯者がいることがアピールできるのである。所定時間上棚を小刻みに回動させた後は、各棚は通常の回転動作にする。
【００２９】
また、上棚に複数の鐘22が吊り下げられ、マレット23がある場合では、景品Ｐを取得した信号がいずれかの景品取得遊戯機１から制御回路30に入ると、制御回路30ではマレット23を起立させる回転である、中棚12bを反時計回り、上棚12cを時計回りに回転させることで、ローラ24bの回転によりマレット23を起立させて、上棚12cに吊り下げている複数の金を順番に叩き、音を鳴らし、その音は祝福する音となる。ここで、複数の鐘に祝福する音階を持たせておくことで、どの回転位置でマレットを起立させるかを正確にするには中棚12bと上棚12cの回転軸にエンコーダを設け、常に回転位置を把握することにより、各棚の相対関係が判り、祝福するメロディを正確に鳴らすことができる。
【００３０】
さらに景品取得時の祝福時に制御回路30から動作モード記憶部から祝福モードを呼び出して照明ドライバー32に点灯信号を送り、照明ドライバーでは送られてきた点灯信号に応じてランプ20a,20b,20c・・の点灯を制御することで、例えば祝福サウンドにあわせてランプ20a、20bの点滅させることで、各遊戯者には、各棚をライトアップする光の光り方に強弱が生ずることでも、通常の常時一定の点灯とは違う感じを受けることができ、高揚感を味合うことができるのである。この光の点灯制御は、各棚の回転制御と合わせて用い、景品取得時に祝福モードの演出が行なわれる。もちろん、各棚の動きは通常の動きのままでもランプの点灯制御とスピーカからの祝福サウンドを合わせることでもよいのはもちろんである。
【００３１】
上記実施例の説明では、回転板の回転制御を景品取得時に行なっているが、この回転制御は景品取得時のみでなくとも、例えば12時、3時、6時というように時間毎に行なうことで、時報の代わりにもなる。これは制御回路30にタイマー機能を搭載しておくことで、実現できる。その際にランプの点灯制御とをあわせて行なうことも可能である。
【産業上の利用可能性】
【００３２】
本願は景品取得遊戯装置の景品陳列台に用いるだけでなく、百貨店等の店内での商品の陳列台としても適用することが可能である。
【図面の簡単な説明】
【００３３】
【図１】景品陳列台を囲んで景品取得遊戯装置を配置した斜視図である。
【図２】景品陳列台を囲んで景品取得遊戯装置4台を配置した平面概略図である。
【図３】景品陳列台を囲んで景品取得遊戯装置2台を対峙させて配置した斜視図である。
【図４】景品陳列台を景品取得遊戯装置の背面に配置した内部側面図である。
【図５】音階を有する鐘を設けた棚の一部を裁断した側面の断面図である。
【図６】景品取得遊戯装置と景品陳列台の駆動系のブロック図である。
【符号の説明】
【００３４】
１ 景品取得遊戯装置
２  コーナ部
３  景品把持部
４  景品展示室
５  操作部
６  天井部
７  景品取得口
10  景品陳列台
11  基台
12  陳列棚
13  軸
14  棚受
15      ギア
16  軸受
17  ウオームギア
18      ローラ
19      ブラケット
20      腕木
21      鐘
22      鐘
23      マレット
【図１】
2009082509.tif 000003
【図２】
2009082509.tif 000004
【図３】
2009082509.tif 000005
【図４】
2009082509.tif 000006
【図５】
2009082509.tif 000007
【図６】
2009082509.tif 000008